(57)【特許請求の範囲】
【請求項１】
原稿画像を入力する手段と、
前記入力された画像を記憶するメモリと、
前記入力された原稿が混載原稿か否かを検出する手段と、
前記メモリに記憶された画像を出力するプリンタと、
前記プリンタに対して、原稿画像がすべて同じ大きさであることが必要な特定モードを設定する手段と、
特定モードに設定されている場合、前記混載原稿検出手段の検出結果に基づいて、特定モード以外の別のモードに変更して前記プリンタで出力する制御手段とを含む、画像形成装置。
【請求項２】
前記制御手段は、特定モード以外の別のモードに自動的に変更する、請求項１に記載の画像形成装置。
【請求項３】
前記制御手段は、特定モードに設定されている場合、前記混載原稿検出手段の検出結果に基づいて、前記プリンタの動作を停止させ、前記モード設定手段で既に設定されている特定モードとは別のモードへの設定変更を許可する、請求項１に記載の画像形成装置。
【請求項４】
前記制御手段が前記プリンタの動作を停止中に、特定モード以外の別のモードが設定されたときは、前記メモリに記憶された画像データを破棄する、請求項３に記載の画像形成装置。
【請求項５】
前記原稿画像を入力する手段はイメージリーダである、請求項１に記載の画像形成装置。
【請求項６】
前記原稿画像を入力する手段は外部に設けられた入力装置である、請求項１に記載の画像形成装置。
【発明の詳細な説明】
【０００１】
【発明の属する技術分野】
この発明はイメージリーダだけではなく、外部に接続されたファクシミリやパソコン等からの原稿画像を入力してプリントアウトする画像形成装置に関し、特に複数のモードで画像形成ができる画像形成装置に関する。
【０００２】
【従来の技術】
一般に複写機の場合、混載原稿の場合には、予め原稿混載かどうかをユーザにセットさせてからコピーをスタートしていた。もしくは複写機上方に設けられている手動原稿搬送装置での全ての原稿サイズを一度確かめてからコピーをスタートしていた。ここで、混載原稿とは、少なくとも１枚以上他の原稿とは長手方向または短手方向の長さの異なるものが混ざっている原稿をいう。
【０００３】
一方、プリンタ、ファクシミリの場合、プリントする内容が混載されているかどうかの検出は実質上できない場合が多いにもかかわらず、以下に示すように混載されていると実行できないモードもある。このような場合はアプリケーションソフトウェアで出力の禁止が行なわれていた。
【０００４】
ここで、混載していると実行できないモードとは以下のモードをいう。
交互給紙：同じサイズの用紙をプリントする部ごとに、排出方向を変えて排出することにより、仕分け装置（いわゆるソータ）なしにソート（丁合）機能と同等の機能を達成するもの。一般的に原稿画像がすべて同じ大きさであることが必要条件であり、そうでない場合は大きさの違う画像に対して倍率変更を行なういわゆる変倍をかけないと交互給紙ができない。このような場合、用紙サイズを指定してその用紙に合った変倍率を元の画像の大きさごとに演算するアプリケーションが必要となる。
【０００５】
Ｎイン１：あるサイズの用紙に、同じサイズの画像を変倍（一般的に縮小変倍）かつ複数頁分並べて印字することにより、１枚の用紙上に複数原稿分の画像を載せることをいう。１頁内に印字される元の画像の大きさが同じであることがこのモードにおいては必要条件となる。
【０００６】
両面モード：あるサイズの用紙の裏表にそれぞれ別の画像を印字すること。交互給紙と同じく、一般的に原稿画像が同じ大きさであることが必要である。そうでない場合は、用紙サイズに応じて原稿画像の変倍を行なうアプリケーションが必要となる。
【０００７】
ステープル：仕上げ装置（ソータ、フィニッシャ）の機能の１つ。ソートまたはグループ動作の終了した複数用紙をステープルし、部ごとに仕上げること。仕上げ装置の構成にもよるが、一般的にステープル後の用紙端面の整合性を向上するため、ステープル動作に先立って部材を用紙端面に当接させることによって用紙の整合を行なう。この整合動作のため、少なくとも用紙の排出方向または排出方向と垂直な方向、場合によっては両方向で整合動作を行なうため整合方向の用紙の大きさが同じことがステープルモードの必要条件となる。
【０００８】
【発明が解決しようとする課題】
従来の画像形成装置においては、混載原稿においてはユーザがプリンタの動作を指示する必要があった。また、混載原稿では実行できないモードにおいてはプリンタでの出力が禁止されていた。したがって、混載原稿についてはユーザの介入がどうしても必要であるという問題点があった。
【０００９】
この発明は上記のような問題点を解消するためになされたもので、混載原稿についても自動的に処理が可能な画像形成装置を提供することを目的とする。
【００１０】
【課題を解決するための手段】
請求項１に係る画像形成装置は、原稿画像を入力する手段と、前記入力された画像を記憶するメモリと、前記入力された原稿が混載原稿か否かを検出する手段と、前記メモリに記憶された画像を出力するプリンタと、前記プリンタに対して、原稿画像がすべて同じ大きさであることが必要な特定モードを設定する手段と、特定モードに設定されている場合、混載原稿検出手段の検出結果に基づいて特定モード以外の別のモードに変更して前記プリンタで出力する制御手段とを含む。
【００１１】
検出されたモードが混載原稿で実施可能なモードか否かと、原稿が混載原稿かどうかによってプリンタの動作が制御されるため、混載原稿についても自動的に処理が行なわれる。
【００１２】
請求項２に係る画像形成装置においては、請求項１の画像形成装置の制御手段は、特定モード以外の別のモードに自動的に変更する。
【００１３】
制御手段が混載原稿検出手段の判定に基づいて特定モード以外の別のモードに自動的に変更するため、画像形成装置においてユーザの介入を減らすことができる。
【００１４】
請求項３に係る画像形成装置においては、請求項２に係る画像形成装置の制御手段は、特定モードに設定されている場合、前記混載原稿検出手段の検出結果に基づいて、前記プリンタの動作を停止させ、既に設定されている特定モードとは別のモードへの設定変更を許可する。
【００１５】
プリント動作が停止されたときには、既に設定されているモードとは別のモードへの設定変更が可能となるため、ユーザは別のモードへ変更する場合において再度原稿画像を読取らせる必要がない。
【００１６】
請求項４に係る画像形成装置においては、請求項２の制御装置がさらに、プリント動作停止中にユーザによって別のモードが設定されたとき、メモリの廃棄を実行する。
【００１７】
プリント動作停止中に特定モード以外の別のモードが設定されたときは、新たに画像データの読込をする必要があるためメモリ内容が廃棄される。その結果メモリを有効に利用することができる。
【００１８】
請求項５に係る画像形成装置においては、請求項１の原稿画像入力手段はイメージリーダである。イメージリーダを用いて原稿画像が入力されるため、ユーザは所望の原稿の画像の形成ができる。
【００１９】
請求項６に係る画像形成装置においては、請求項１の画像形成装置の入力手段が外部に設けられた入力装置である。外部に設けられた入力装置から原稿画像が入力されるため、外部からの原稿画像の処理が可能になる。
【００２０】
【発明の実施の形態】
以下この発明の実施の形態を図面を参照して説明する。
【００２１】
図１はこの発明に係る画像形成装置の一実施の形態であるデジタル複写機１が実際どのようにして使われるのかという状態を示す模式図である。図１を参照して、この発明に係るデジタル複写機１は外部バス１５を通じて他のデジタル複写機１１ｂ、ファクシミリ１１ｃおよびパソコン１３ａ，１３ｂと接続されている。そして他のファクシミリ１１ｃやパソコン１３ａ，１３ｂから出力された画像データを受取り出力する。
【００２２】
図２は、デジタル複写機１の全体構成を説明するための概略断面図であり、図３はその制御系のブロック図である。
【００２３】
図２および図３を参照して、デジタル複写機１は、大別すると複写する原稿を読取る走査系８１０を含むイメージリーダ１１と、読取った画像データの処理を行なう画像信号処理部８２０を含む画像メモリ部１２と、読取った画像データを用紙上に出力するためのレーザ光学系８６０と、作像系８７０とを含むプリンタ部１３とによって構成されている。また、このデジタル複写機１の上部には、複写する原稿を搬送し、必要に応じて原稿の表裏を反転させるＡＤＦ（自動原稿搬送装置）８５０が設けられている。デジタル複写機１の上面には、このデジタル複写機１で行なう各種画像編集処理の動作モードや複写枚数などを設定するための操作パネルＯＰが設けられている。
【００２４】
そして、この複写機には、後述するようにバインド部、紙折り部、パンチ部、およびステープル部を装備したフィニッシャ３１が取付けられている。
【００２５】
以下さらにこのデジタル複写機１の各部の機能および動作について詳細に説明する。
【００２６】
まず、ＡＤＦ８５０の原稿トレイ８１５上にセットされた原稿は、ＡＤＦ用ＣＰＵの指示により、１枚ずつ原稿載置台（プラテンガラス）８１８上の所定の位置まで搬送される。原稿は走査系８１０により読取られた後に、ＡＤＦ８５０上の排紙トレイに排出される。原稿は、ＡＤＦの各原稿搬送系ローラ８５１，８５２，８５３，８５４および搬送ベルト８５５が駆動されることにより搬送される。
【００２７】
この原稿の搬送時において、ＡＤＦ８５０内に設置されているセンサＳＥ５１のオン／オフの時間により原稿サイズが１枚ずつ検出される。センサＳＥ５１からの信号は、図示のないＡＤＦ用ＣＰＵを介して図示のない複写機用ＣＰＵに伝えられる。原稿有無検出センサＳＥ５０により、原稿トレイ８１５上に原稿があるかないかが検出される。
【００２８】
走査系８１０では、スキャナ８１９がスキャンモータ（不図示）によって駆動される。スキャナ８１９は、プラテンガラス８１８の下を移動する。スキャナ８１９に取付けられている露光ランプ８１１からプラテンガラス８１８上に載置された原稿に光が照射される。その反射光を光電変換素子であるＣＣＤ８１６が受光して、原稿画像の走査読取が行なわれる。
【００２９】
なお、レーザ光学系８６０は、半導体レーザ８６２、レーザビームを偏光するポリゴンミラー８６５、および反射ミラー８６７によって構成されている。作像系８７０は、現像転写系８７１、用紙を搬送する搬送系８８０および画像の定着を行なう定着系８７３によって構成されている。また、現像転写系８７１は、感光体ドラム８７１ａ、帯電チャージャ８７１ｂ、現像剤を収納し感光体ドラムにトナーを供給する現像器８７１ｃ、感光体ドラム上のトナー像を用紙に転写させる転写チャージャ（不図示）、用紙と感光体ドラムとを分離する分離チャージャ（不図示）、および不要なトナーを除去するクリーニングプレート（不図示）などにより構成されている。
【００３０】
搬送系８８０は、用紙を収納したカセット８８１および８８２、用紙ガイド８８３、タイミングローラ８８４などによって構成されている。また用紙カセット８８１および８８２に収納されている用紙は、予め用紙カセットごとに収めるサイズが決められており、そのカセットごとに用紙サイズが判定される。なお、図面においては用紙カセットは２つ記載されているが、さらに多くの用紙カセットを備えるようにしてもよい。
【００３１】
定着系８７３は、用紙を熱圧着しながら搬送する定着ローラ８７４、排出ローラ８７５および用紙の排出を検出する排出センサ（不図示）によって構成されている。
【００３２】
プリントアウトされた用紙は、排紙部１１０ｂから後述するフィニッシャ３１に送られる。
【００３３】
フィニッシャ３１は、図２に示されるように、大きくは、デジタル複写機１の排紙部１１０ｂから排出された用紙Ｐを集積し整合するノンソートトレイ１１１ａおよび用紙集積部１１１ｂと、排紙部１１０ｂから排出された用紙Ｐを必要に応じて２つ折りや、Ｚ字状に折り畳む（以下Ｚ折りという）紙折り部３２と、用紙集積部１１１ｂから用紙搬送方向下流側に設置され、集積し整合された用紙Ｐに対してステープル処理を施すステープル部３３と、このステープル処理後の用紙束が排出されて収容されるソート部３４と、ステープル処理された後の用紙束またはステープル処理されていない用紙束に対してカバーを取付けるバインド部３５と、用紙搬送経路中に設けられ必要に応じて用紙に穴あけを行なうパンチ部３７とから構成される。デジタル複写機１から排出された用紙は用紙搬送部３６によりフィニッシャ内の各部に搬送される。
【００３４】
図３は図２に示したデジタル複写機１の要部を示すブロック図である。図３を参照して、デジタル複写機１はイメージリーダ部１１と、画像メモリ部１２と、プリンタ部１３とを含み、それらが相互に制御信号線１４で接続されている。イメージリーダ部１１からの画像データは画像バスＡを介して画像メモリ部１２へ送られ、画像メモリ部１２に記憶された画像データは画像バスＢを介してプリンタ部１３に送られる。図１で説明した外部バス１５は画像メモリ部１２に接続されている。
【００３５】
図４は画像メモリ部１２の内部構成を示すブロック図である。図４を参照して、画像メモリ部１２は、ＲＯＭ２４内に格納されたプログラムの手順に従い、ＣＰＵ２１が制御を実行する。また、イメージリーダ部１１、プリンタ部１３、全体制御部１０と通信ドライバ２３を経由して制御信号線１４を介して通信を行なっている。さらに、外部バス１５により図３で説明した外部入出力装置との通信が可能になっている。
【００３６】
画像バスＡ、画像バスＢは画像ＲＡＭ２６と繋がり、画像がここに記憶される。画像の転送制御は数チャンネルの転送が可能なＤＭＡＣ（ダイナミックメモリアクセスコントロール）２７によって行なわれる。また、画像バスには圧縮器２８、伸張器２９が接続され圧縮伸張動作を行なうことが可能である。この画像ＲＡＭ２６に蓄えられた画像についての情報は、システムＲＡＭ２５に記憶されている。またプログラムを動作させるのに必要なパラメータなども記憶されている。
【００３７】
図５は画像メモリ部１２におけるデータの流れを説明するためのブロック図である。画像ＲＡＭ２６は入力画像メモリ２６１と、出力画像メモリ２６２と、圧縮画像メモリ２６３に分かれている。各メモリ間の画像転送は、図４で示したＤＭＡＣ２７によって行なわれる。ＤＭＡＣ２７に転送アドレス、転送サイズを指定することにより、画像データの転送が行なわれる。また、どの位置まで画像を転送したかを確認するには、このＤＭＡＣ２７の転送カウンタを読出す。
【００３８】
イメージリーダ部１１から読込んだ画像は、画像バスＡを通じて入力画像メモリ２６１に格納される。前述したように、入力画像メモリ２６１のどのラインまで画像が入力されたかは、ＤＭＡＣ２７の転送カウンタを読出すことにより確認することができる。入力画像メモリ２６１に蓄えられた画像は、圧縮器２８により画像を圧縮し、圧縮画像メモリ２６３上に転送される。圧縮画像メモリ２６３に置かれた画像は、伸張器２９により伸張し、出力画像メモリ２６２に転送される。
【００３９】
出力画像メモリ２６２に転送された画像データは、ＤＭＡＣ２７により、画像バスＢを通じてプリンタ部１３へ転送され、用紙上に画像がプリントされる。ＤＭＡＣ２７の転送カウンタを確認すれば、出力画像メモリ２６２のどこまでプリンタ部１３へ画像が転送されたかがわかる。
【００４０】
次に画像の複写処理について説明する。上記した経緯を用いて画像の複写処理が行なわれる。イメージリーダ部１１から読込んだ画像は、入力画像メモリ２６１上に置かれる。画像は一定時読込まれた段階で、圧縮器２８を用いて画像を圧縮し、圧縮画像メモリ２６３に圧縮画像が転送される。この圧縮された画像データを伸張器２９を通してページメモリとなる出力画像メモリ２６２に転送すれば元の画像を復元することができる。この画像を画像バスＢを通じてプリンタ部１３に送れば読込んだ画像がプリントされる。また、ページや日付等の付加情報を合成して印字する場合は、画像に対応した付加情報などと伸張器２９により伸張されたデータとを出力画像メモリ２６２で重ね合わせることによって合成する。
【００４１】
ここで圧縮画像メモリ２６３には複数枚の画像データを保持することができるため、前述の機能を利用して、メモリを使用したソートが可能となる。最初に複数枚の原稿を連続的に読込む。入力画像メモリ２６１上に画像が読込まれたら圧縮器２８により画像を圧縮し、圧縮画像メモリ２６３上に圧縮画像を保持する。この動作を次々と繰返し、圧縮画像メモリ２６３上に圧縮画像すべてを置く。この処理が終わったら、連続的に１頁目からｎ頁目まで伸張器２９により画像を圧縮し出力画像メモリ２６２に画像を送り、プリンタ部１３へ転送する。この伸張と出力を必要回繰返せば、ドキュメント単位に画像内部で出力することができる。その結果、いわゆる機械で行なっていたソートをメモリによって行なうことができる。
【００４２】
圧縮画像メモリ２６３には、複数の画像を置くことが可能であるため、これらの画像を管理する圧縮画像管理テーブルをシステムＲＡＭ２５内に設けている。管理テーブルには画像単位の情報を記憶しているが、画像単位情報には圧縮前の画像のサイズ、圧縮画像が圧縮画像メモリのどこに記憶されているのかを示すポインタ、圧縮サイズ、圧縮時間、読込んだ原稿サイズ、一連の原稿の何枚目の原稿であるかなどの情報が記憶されている。
【００４３】
次にこの発明に係るデジタル複写機の動作について説明する。図６はデジタル複写機のメインルーチンを示すフローチャートである。図６を参照して、まず電源が投入されたら、内部のステータスなどの状態の初期化を行なう（♯１）。コピースタートを指示されるまで待ち状態でループしている（♯２でＮＯ）。スタートを指示されると（♯２でＹＥＳ）、原稿読取処理（♯３）、圧縮処理（♯４）、画像の合成を含む伸張処理（♯５）、プリント遅延処理（♯６）、モード変更処理（♯７）、プリント処理（♯８）を順次行ない、これらの処理をコピーが終了するまで繰返す（♯９でＮＯ）。コピーが終了したら（♯９でＹＥＳ）、再びコピースタート待つ。
【００４４】
図７は図６の♯３で示した原稿読取処理内容を示すフローチャートである。図７を参照して、まず原稿読取中か否かが判断される（♯３１）。イメージリーダ部１１から画像メモリ部１２への入力画像メモリの画像転送中には（♯３１でＹＥＳ）そのままリターンする。原稿読取中でない場合は（♯３１でＮＯ）、圧縮中でなく（♯３１でＮＯ）、読取るべき原稿があれば（♯３３でＹＥＳ）、読取処理をスタートする（♯３４）。読取処理はＤＭＡＣ２７をスタートさせ、イメージリーダ部１１へ制御信号線１４を通じて読取要求を出す処理である。
【００４５】
図８は図７の♯３５で示した原稿サイズ検出ルーチンを示すフローチャートである。図８を参照して、原稿サイズ検出ルーチンではまず原稿検出センサＳＥ５１のオンエッジで（♯３５１でＹＥＳ）、タイマＤＵをスタートさせる（♯３５２）。次に原稿検出センサ３１０のオフエッジ、すなわち原稿の後端が通過したら（♯３５３）、タイマＤＵをストップさせる（♯３５４）。そのときの値に原稿搬送スピードを掛けた値、すなわち原稿の長さをＡレジスタに格納する（♯３５５）。そのＡレジスタの値が１８２ｍｍ以下であれば（♯３５６でＹＥＳ）、原稿サイズがＢ５横であると判定する（♯３５７）。この値が２１０ｍｍ以下であれば（♯３５８でＹＥＳ）、Ａ４横であると判定する（♯３５９）。この値が２５７ｍｍ以下であれば（♯３６０でＹＥＳ）、Ｂ５縦であると判定する（♯３１）。この値が２９７ｍｍ以下であれば（♯３６２でＹＥＳ）、Ａ４縦であると判定し（♯３６４でＹＥＳ）、３６４ｍｍ以下であれば♯３６４でＹＥＳ）、Ｂ４であると判定し（♯３６５）、３６４ｍｍを超えると（♯３６４でＮＯ）、Ａ３であると判定する（♯３６６）。
【００４６】
次に図６の♯４で示した圧縮処理について説明する。図９を参照して、まず圧縮中でないことを確認する（♯４１）。この時点で圧縮直後であった場合には（♯４２でＹＥＳ）、圧縮画像についての圧縮情報を前述の圧縮画像管理テーブルに登録する（♯４３）。圧縮すべき画像がある場合は（♯４４）、読取中でないことを確認し（♯４５でＮＯ）、画像の圧縮をスタートさせる（♯４６）。読取中であった場合には（♯４５でＹＥＳ）、何もしないでリターンする。
【００４７】
ここでの圧縮動作では、圧縮器２８を動作させるとともに、入力画像メモリの画像を圧縮器２８に与え、圧縮画像を圧縮画像メモリ２６３に転送する。画像転送はＤＭＡＣ２７によって行なう。なお、読取画像がどの程度入力画像メモリに転送されたかは、ＤＭＡＣ２７の転送カウンタを確認することにより知ることができる。
【００４８】
次に図６の♯５で示した伸張処理について図１０を参照して説明する。図１０を参照して、まず伸張もしくはプリント中でないことを確認し（♯５１）、伸張すべき画像があることを前述の圧縮画像管理テーブルにより確認する（♯５２）。伸張すべき画像がある場合は（♯５２でＹＥＳ）、頁印字モードであるかどうかを確認する（♯５３）。頁印字モードであれば（♯５３でＹＥＳ）、画像管理テーブルを参照し、対応する頁番号を出力頁メモリに描画する（♯５４）。そして伸張処理をスタートさせる（♯５５）。
【００４９】
なお、伸張処理は伸張器２９をスタートすることによって行なわれる。なお画像の転送はＤＭＡＣ２７によって行なっている。また、出力画像メモリに画像を転送する際に頁印字モードであれば、伸張された画像を出力画像メモリに重ねる。
【００５０】
図１１は図６の♯６で示されたプリント遅延処理の内容を示すフローチャートである。図１１を参照して、まず設定されたモードがＮイン１モード、両面モード、交互給紙モードまたはステープルモードのような特定モードであるかどうかの判断を行なう（♯６１〜♯６４）。特定モードであると判断された場合は（♯６１〜♯６４でＹＥＳ）、♯６５でプリントすべき画像がメモリに溜まったかどうかを判定する。溜まっていない場合（♯６５でＮＯ）、次の図１２で説明するようにプリント開始を禁止し（♯６７０）、プリントすべき画像がメモリに蓄積されるのを待つ。すなわち特定モードが設定されていると、プリントすべき画像が蓄積されるまでプリントを遅延させる。
【００５１】
♯６５でプリントすべき画像がメモリに溜まった場合は（♯６５でＹＥＳ）、混載原稿検知のサブルーチンに入る（♯６６）。
【００５２】
なお、特定のモードでない場合は（♯６１〜♯６４でＮＯ）、プリント開始を許可する（♯６８）。
【００５３】
次に図１１の♯６６で示した混載原稿検知処理について説明する。
図１２は混載原稿検知ルーチンの内容を示すフローチャートである。図１２を参照して、まず１枚目の原稿サイズを圧縮画像メモリ２６３より読出す（♯６６１）。次いで圧縮画像メモリ２６３の内容から、読込んだ原稿が１枚かどうか、すなわち最終原稿かどうかを判定する（♯６６２）。♯６６２でＹＥＳとなった場合、すなわち読込んだ原稿が１枚の場合は、混載なしと判定し、プリントの開始を許可する（♯６６９）。これは、混載原稿の判定は、「読込んだ原稿が２枚以上のとき、その原稿サイズが互いに異なるときは混載原稿である」という考え方に基づいているためである。すなわち、♯６６２で、元々２枚以上の原稿を読込んでいないと判定された場合は、混載原稿なしと同じ動作をしても特に問題は生じないからである。
【００５４】
♯６６２で最終原稿でないと判断された場合は（♯６６２でＮＯ）、Ｂレジスタへ２枚目の原稿サイズを入力する（♯６６３）。その後、♯６６４、♯６６６〜♯６６８の処理で最終原稿になるまで順次Ａレジスタに入っている１枚目の原稿サイズとＢレジスタに入っている第２、第３、第４、…、第ｎ枚目の原稿の原稿サイズを比較する。そしてＡレジスタに入っている１枚目の原稿サイズとＢレジスタに入っているｎ枚目の原稿サイズが異なることを見つけるまで比較処理を繰返す（♯６６６）。
【００５５】
♯６６６でＮＯとなった場合は、最終原稿までサイズを比較することなく、プリント開始を禁止する（♯６７０）。したがって、♯６６５へ進む場合は、最終原稿の直前まで、すべての原稿サイズが１枚目の原稿サイズと同じであった場合となる。
【００５６】
♯６６５で、最終原稿に対して♯６６６と同様、すべての原稿サイズが１枚目の原稿サイズと同じかどうかを判定する。すべての原稿サイズが同じであると判定されたときは（♯６６５でＹＥＳ）、原稿サイズがすべて１枚目と同じサイズであった場合であるため「混載なし」と判定し、プリント開始の許可を行なう（♯６６９）。
【００５７】
♯６６５でＮＯとなった場合は、「最終原稿の直前の原稿までは、１枚目の原稿の原稿サイズと同じであったが、最終原稿の原稿サイズのみ、他の原稿と異なっていた」場合になり、混載ありと判定し、プリント開始を禁止する（♯６７０）。
【００５８】
次に図６の♯７で示したモード変更処理について説明する。図１３はモード変更処理の内容を示すフローチャートである。図１３を参照して、まず図１１の♯６１〜６４で示した特定モードか否かが判定され（♯７１１）、特定モードであると判定されたときは（♯７１１でＹＥＳ）、プリントすべき画像がメモリに蓄積されているかどうかが判定される（♯７１２）。♯７１２でプリントすべき画像が蓄積されていると判定されたときは（♯７１２でＹＥＳ）、混載原稿の有無が判定され（♯７１３）、プリント停止中か否かが判定される（♯７１４）。
【００５９】
上記したすべての条件が満たされている場合は（♯７１１〜♯７１４でＹＥＳ）、図示のない、プリンタに設けられた操作パネル、または外部入力装置からモード変更要求があるかどうかを判定する（♯７１５）。モード変更要求があったときは（♯７１５でＹＥＳ）、上記した特定モード以外の要求されたモードへ変更する（♯７１６）。次いでプリント開始を許可する（♯７１７）。♯７１７でプリント開始を許可することにより、図１２の♯６７０で設定したプリント開始禁止が解除され、結果としてデジタル複写機１は♯７１５でモード変更要求があったことにより、停止していたプリント動作を変更要求に合ったモードでプリント開始することになる。
【００６０】
たとえば、両面コピーモードが設定されていて、原稿の画像をすべて読込んだら混載原稿のため、マシンがプリント停止している状態にあるとする。この場合、混載原稿と同時に成立しない両面モードをユーザが解除して（両面モードなし）、メモリに溜まった画像をプリントする動作が該当する。
【００６１】
♯７１５でモード変更要求がない場合（♯７１５でＮＯ）、ステープルモードや両面モードといった特定モードかどうかを判定する（♯７１８、♯７２０）。特定モードであった場合は（♯７１８、♯７２０でＹＥＳ）、それぞれデジタル複写機１が自動的にモードを変更し（♯７１９、♯７２１）、プリント開始許可する（♯７１７）。
【００６２】
なお、♯７１５でモードの変更の要求もなく、ステープルモードでもなく、両面モードでもない場合は（♯７１８、♯７２０でＮＯ）、特定モードでないため、♯７１７でプリント開始が許可される。
【００６３】
図１４はモード変更処理の他の実施例を示すフローチャートである。図１４を参照して、この実施例に係るモード変更処理においては先の図１４で示したモード変更処理に対して♯７２６および♯７２７だけが異なっており、他の点については先の実施の形態と同じであるので、同一部分についてはその説明は省略する。
【００６４】
図１４を参照して、この実施例においては、モード変更要求があった場合は（♯７１５でＹＥＳ）、要求されたモードへ変更するとともに（♯７２６）、画像メモリに蓄積された画像データをクリアする（♯７２７）。特定のモードが指定され、混載原稿があってプリントが停止されているときにモード変更要求があったときはその要求されたモードへモードの変更が行なわれる。
【図面の簡単な説明】
【図１】この発明の一実施の形態に係るデジタル複写機が接続されたネットワークの模式図である。
【図２】この発明の一実施の形態に係るデジタル複写機の正面断面図である。デジタル複写機の制御系のブロック図である。
【図３】デジタル複写機の要部を示すブロック図である。
【図４】画像メモリ部の要部を示すブロック図である。
【図５】画像ＲＡＭの要部を示すブロック図である。
【図６】デジタル複写機の動作を示すメインルーチンを示すフローチャートである。
【図７】原稿読取処理ルーチンを示すフローチャートである。
【図８】原稿サイズ検出ルーチンの内容を示すフローチャートである。
【図９】圧縮処理の内容を示すフローチャートである。
【図１０】伸張処理の内容を示すフローチャートである。
【図１１】プリント遅延処理の内容を示すフローチャートである。
【図１２】混載原稿検知ルーチンの内容を示すフローチャートである。
【図１３】モード変更処理の一実施の形態を示すフローチャートである。
【図１４】モード変更処理の他の実施の形態を示すフローチャートである。
【図１５】プリント処理の内容を示すフローチャートである。
【符号の説明】
１  デジタル複写機
１０  全体制御部
１１  イメージリーダ部
１２  画像メモリ部
１３  プリンタ部
１４  制御信号線
１５  外部バス
【図１】
0003702570.tif 000002
【図２】
0003702570.tif 000003
【図３】
0003702570.tif 000004
【図４】
0003702570.tif 000005
【図５】
0003702570.tif 000006
【図６】
0003702570.tif 000007
【図７】
0003702570.tif 000008
【図８】
0003702570.tif 000009
【図９】
0003702570.tif 000010
【図１０】
0003702570.tif 000011
【図１１】
0003702570.tif 000012
【図１２】
0003702570.tif 000013
【図１３】
0003702570.tif 000014
【図１４】
0003702570.tif 000015
【図１５】
0003702570.tif 000016